(57)【特許請求の範囲】
【請求項１】
流体吸収核と、流体吸収核の一方の側に配置されてその表面の少なくとも一部が流体吸収核から離間されていて流体吸収核との間に空間を規定する第１の流体受け入れ層と、そして流体吸収核に対して第１の流体受け入れ層とは反対側に配置されて流体吸収核及び第１の流体受け入れ層と流体連通関係にある第２の流体受け入れ層と、を備えている吸収衛生パッドであり、吸収衛生パッドは、流体吸収核と第１の流体受け入れ層との間に配置されている弾性化手段を備えていて、弾性化手段は略平坦な状態にある吸収衛生パッドを引っ張って第１の流体受け入れ層を流体吸収核から上方に離れさせて上記空間を創出しており、弾性化手段が第１の流体受け入れ層の下で吸収衛生パッドの長手方向中心線の少なくとも大部分に実質的に沿い延出している少なくとも１つの弾性糸を備えており、吸収衛生パッドはその縦断面において両端部が両端部の間の部分よりも上方に向かい湾曲した凹形状をしており、その横断面において両側部よりも両側部の間の部分が上方に向かい湾曲した凸形状をしている、吸収衛生パッド。
【請求項２】
個々の弾性糸がその両端において第１の流体受け入れ層及び流体吸収核の少なくとも一方に取り付けられている、請求項１に従った吸収衛生パッド。
【請求項３】
個々の弾性糸がその長さに沿って選択された複数の地点において第１の流体受け入れ層及び流体吸収核の少なくとも一方に取り付けられている、請求項１に従った吸収衛生パッド。
【請求項４】
第１及び第２の流体受け入れ層がこれらの層の長手方向端または幅方向縁のみで相互に接着されている、請求項１乃至３のいずれか１項に従った吸収衛生パッド。
【請求項５】
第１及び第２の流体受け入れ層が少なくともこれらの層の周辺の実質的に全部に沿い相互に接着されている、請求項１乃至３のいずれか１項に従った吸収衛生パッド。
【請求項６】
第１及び第２の流体受け入れ層が流体吸収核の回りに折り畳まれた単一のシート材料により構成されている、請求項１乃至３のいずれか１項に従った吸収衛生パッド。
【請求項７】
第２の流体受け入れ層において流体吸収核から遠い方の側に流体不透過性の裏シートをさらに備えている、請求項１乃至６のいずれか１項に従った吸収衛生パッド。
【発明の詳細な説明】
この発明は吸収物品に関係している。この発明は特に、軽い、そして穏やかな失禁に悩んでいる婦人により使用されることが出来る、例えばパッドの形状をした、吸収物品に関係している。この発明は以下に記載される。しかしながら、この発明は尿または月経のいずれの体液の吸収に関係しているより一般的な適用可能性もある。
このような物品に関係している１つの問題は、尿が直ちに物品の中にしみこまずに物品中に吸収されないことがあり、物品の吸収材料にしみこむことなく使用者の体に沿い後方に流れ出ることがあることである。このことは特に、少量または小流量の尿の噴出の場合に生じる。
この出願と同日に出願され、体接触失禁製品の為の弾力化パッドと題され、そしてＣＲ１３３として特定されている我々の対応イタリア出願は、この問題を取り扱うよう形作られている吸収物品を記載している。
添付の図面において：
図１は、上記対応出願中に記載されている物品の実施例の斜視図であり；
図２は、図１の物品の長手方向中心線に沿った縦断面図であり；
図３は、図１の物品の幅方向向中心線に沿った横断面図であり；そして、
図４は、物品の変形例を示す図３と同様な横断面図である。
図１乃至図３は、軽い失禁に悩まされている婦人により使用される為の吸収衛生パッドを示している。それは、液体透過性の表シート１と、吸収物品の周辺において例えば加熱密着または接着剤による密着部３により液体透過性の表シート１に対して密着された液体不透過性の裏シート２と、を備えている。この吸収物品はさらに、例えば吸収ゲル化材料（ＡＧＭ:absorbent gelling material）を含んでいる吸収核４と、流体を受け入れ流体を吸収核４に伝えるよう機能する第２の表シート５と、を備えている。
表シート，裏シート，そして吸収核の為に使用された材料は、吸収衛生製品の為に従来使用されていたものであることが出来る。しかしながら、幾つかの適切な材料のさらなる詳細の為には、嵩高な第２の表シートを有している吸収製品を記載している国際特許公開公報ＷＯ９４／２８８３８号と、ＡＧＭを含んでいる核を記載している国際特許公開公報ＷＯ９４／０１０６９号及び国際特許協力条約ヨーロッパ出願ＰＣＴ／ＥＰ９４／０４２１５号と、に注目が向けられる。
この吸収物品はさらに弾力化システムを備えており、弾力化システムは吸収物品を使用者の体に密着させることが出来て、少なくとも吸収物品を尿が通過して流出する危険性を実質的に阻止、または減少、させるよう吸収物品を湾曲させるよう機能する。図１乃至図３において、この弾力化システムは、第２の表シート５の近傍で吸収物品の長さの少なくとも大部分、好ましくは吸収物品の実質的に全ての長さ、に沿い延出している弾性糸６を備えており、弾性糸６はその両端が、あるいはその長さ全体に沿い、あるいはその長さに沿って選択された幾つかの地点が、第２の表シート及び／または吸収核に取り付けられている。図示されているように、これが吸収衛生パッドを、縦断面（図２）において示された時には上方が凹んでおり、横断面（図３）において示された時には上方に凸な形状にさせる。この吸収衛生パッドは従って使用者の体に向かい弾性的に持ち上げられていて使用者の体との密着が保持され、そして尿の最も軽微な排出でさえも捕らえる為のより良い適合とより良い能力とを提供している。吸収核は比較的剛く、そして横断面において実質的に平坦に止まり、このことが吸収衛生パッドが使用者のパンティとの良好な接触を維持することを可能にする。
図４は、裏シート２の上を横断して延出している弾性糸７をさらに備えているとともに、第２の表シート５の下に長手方向の弾性糸６を備えている変形物品を示している。横断方向の弾性糸７は第２の表シート５に固定されて示されており、例えそれが僅かに長くても、それは代わりに、あるいはさらに、第１の表シート１に固定されることが出来る。いずれにしても、横断方向の弾性糸７はその両端でのみ固定されていることが好ましい。第２の表シート及び／または第１の表シートの両側が内方に引っ張られることにより、横断方向の弾性糸は、横断面において見ることが出来るように、所望の上方に凸の形状を吸収物品に付与することを手助けする。
種々の他の変形例もまた可能である。例えば、横断方向の弾性糸のみが設けられていて、いかなる長手方向の弾性糸なしであることが出来るし、相互に接近して配置されるか、または物品の長さに沿い相互に離間されて配置される複数の横断方向糸を（長手方向糸を伴い、あるいは伴わずに）設けることが出来るし、そして単一の長手方向糸を相互に接近して配置された複数の長手方向糸により置き換えることも出来る。
図１乃至図４を参照しながら上述された物品は、特に個々の弾性糸が第２の表シートの近傍に配置された時に、使用者に対するこれらに適合に関して優れており、そしてひいては、尿の小さな量でさえも収集するというこれらの能力に関して優れている。しかしながら、採用されている構造は、図２，３，そして４中に参照符号Ｖにより指摘されている無駄な空間が第２の表シートと核との間に形成されていることを意味している。第２の表シートの目的は流体を直ちに受け入れ流体を貯蔵の為の核に移送することであり、そしてこの無駄な空間がこの移送工程に関する困難さを生じさせている。
この発明の目的は、上述した流体移送問題が無くされているか、または少なくとも減少されている、図１乃至図４を参照しながら上述された形式の吸収衛生パッドを提供することである。
上述した目的を達成する為に、この発明に従った吸収衛生パッドは：流体吸収核と、流体吸収核の一方の側に配置されてその表面の少なくとも一部が流体吸収核から離間されていて流体吸収核との間に空間を規定する第１の流体受け入れ層と、そして流体吸収核に対して第１の流体受け入れ層とは反対側に配置されて流体吸収核及び第１の流体受け入れ層と流体連通関係にある第２の流体受け入れ層と、を備えている吸収衛生パッドであり、吸収衛生パッドは、流体吸収核と第１の流体受け入れ層との間に配置されている弾性化手段を備えていて、弾性化手段は略平坦な状態にある吸収衛生パッドを引っ張って第１の流体受け入れ層を流体吸収核から上方に離れさせて上記空間を創出しており、弾性化手段が第１の流体受け入れ層の下で吸収衛生パッドの長手方向中心線の少なくとも大部分に実質的に沿い延出している少なくとも１つの弾性糸を備えており、吸収衛生パッドはその縦断面において両端部が両端部の間の部分よりも上方に向かい湾曲した凹形状をしており、その横断面において両側部よりも両側部の間の部分が上方に向かい湾曲した凸形状をしている。
この発明の２つの実施例が添付の図面中の図５乃至図７中に示されていて、ここにおいて：
図５は、この吸収衛生物品の第１の実施例の長手方向中心線に沿った縦断面図であり；
図６は、図５の実施例の横断方向中心線に沿った横断面図であり；そして、
図７は、第２の実施例を示す図６と同様な横断面図である。
図５及び図６は、図１乃至図３の物品と同様に、表シート１と、裏シート２と、核４と、そして第２の、流体受け入れ、表シート５と、を有している軽度の失禁用パッドを示している。さらには、核４と裏シート２との間に配置されているさらなる流体受け入れシート１５が存在している。第２の、流体受け入れ、表シート５とさらなる流体受け入れシート１５とは、これらの縁領域の少なくとも一部上で相互に流体流通関係にある。図５及び図６中に示されている如く、これらのシート５及び１５は核４よりも長くそして幅広であり、これらの長手方向端及び幅方向縁において、例えば接着剤により、相互に接着されていて、これらの間の密封は両方のシート５及び１５の周辺の回りを完全に延出している。しかしながら、例えばこれらのシート５及び１５をこれらの長手方向端のみで相互に接着することが出来るし（この場合には、これらのシート５及び１５が核４よりも幅広でなければならないことは本質的なことではなく）、またはこれらの幅方向縁のみで相互に接着することが出来、この場合にはこれらのシート５及び１５が核４よりも長くなければならないことは本質的なことではない。
図５及び図６は、流体透過性の表シート１を介して吸収衛生物品中に入る流体の流路を矢印により示している。図示されている如く、流体は第２の表シート５中を長手方向及び幅方向に流れ、そしてさらなる流体受け入れシート１５中に入り、ここで再び長手方向及び幅方向に流れる。流体は次に、さらなる流体受け入れシート１５に密接に接触している核４によりさらなる流体受け入れシート１５から吸収されることが出来る。
幾つかの環境の下では、例えば流体の突然の大量の排出の場合には、第２の表シート５により捕らえられた液体の幾分かは第２の表シート５から空間Ｖに直接入ることが出来、そしてこのような流体は次にさらなる流体受け入れシート１５を通過することなく核４により吸収される。
さらなる流体受け入れシート１５は第２の表シート５と同じ材料であることが出来るが、これは必ずしも必要な事項ではない。これら２つのシート１５及び５が同じ材料であろうとなかろうと、これら２つのシート１５及び５は同じ厚さであつても異なる厚さであっても良い。核の上方と下方の両方に流体受け入れ層を有している吸収パッドを記載している、１９９４年１２月１日付けで出願された我々のイタリア特許出願第ＴＯ９４Ａ０００９８２号に注意が向けられる。この目的の為に幾つかの適切な材料がこのイタリア特許出願中に記載されている。
図７中に示されている変形例においては２つのシート５及び１５が、核４及び空間Ｖを取り囲んでいてその側方縁に沿い自身が接着されて管形状にされている単−のシート２５により置き換えられている。このことはまた、その端縁に沿い自身が接着されていることも出来る。
さらなる変形例においては、第２の流体受け入れシート１５を伴わない吸収衛生物品に関係している図４中において示されている如く、空間Ｖに対面している核４の表面を横切って延出しその両端が第２の表シート５及び表シート１に取り付けられている横断方向に延出している弾性糸が設けられている。
【図１】
0003739402.tif 000002
【図２】
0003739402.tif 000003
【図３】
0003739402.tif 000004
【図４】
0003739402.tif 000005
【図５】
0003739402.tif 000006
【図６】
0003739402.tif 000007
【図７】
0003739402.tif 000008